(57)【要約】【課題】剛性を充分に維持して多様な外部デザインを実現できるフレーム構造を有するドラム洗濯機を提供する。【解決手段】洗濯機の側面を形成する側面フレーム３１を含んでおり、前記側面フレーム３１の上部の剛性を補強するための別途のフレーム６０が前記側面フレーム３１の上面３４と前記側面フレーム３１の前面３３の上部にそれぞれ結合されるように、前記側面フレーム３１の前面３３と上面３４との間に傾斜面３６が形成されるドラム洗濯機を構成する。【選択図】図２
2006289050.tif 000002
【特許請求の範囲】
【請求項１】
洗濯機の側面を形成する側面フレームを含むドラム洗濯機であって、
前記側面フレームの上部の剛性を補強するための別途のフレームが前記側面フレームの上面及び前記側面フレームの前面の上部にそれぞれ結合されるように、前記側面フレームの前面と上面との間に傾斜面が形成されることを特徴とするドラム洗濯機。
【請求項２】
前記側面フレームの上部の剛性を補強するために、前記側面フレームの上面、前記傾斜面及び前記側面フレームの前面の上部にそれぞれ結合されるトップブラケットをさらに含むことを特徴とする請求項１に記載のドラム洗濯機。
【請求項３】
前記ドラム洗濯機は、前記側面フレームの前面に結合される前面フレームをさらに含むことを特徴とする請求項２に記載のドラム洗濯機。
【請求項４】
前記ドラム洗濯機は、前記側面フレームの下部に結合される底板をさらに含むことを特徴とする請求項３に記載のドラム洗濯機。
【請求項５】
前記底板は、前記側面フレームの下面に結合される水平部と、前記水平部の一端から上側に屈曲されて前記側面フレームの前面に結合される垂直部と、を含んでおり、前記水平部及び垂直部は、一体に形成されることを特徴とする請求項４に記載のドラム洗濯機。
【請求項６】
前記側面フレームの上部の剛性を補強するために、トップブラケットの上部に結合されるか、前記トップブラケットを貫通して前記側面フレームに結合される上部板をさらに含むことを特徴とする請求項５に記載のドラム洗濯機。
【請求項７】
前記前面フレームは、前記側面フレームの前部から側方向に加えられる力に対して剛性を効果的に維持するように、前記垂直部の上部から前記トップブラケットに隣接した部分にかけて前記側面フレームの前面に結合されることを特徴とする請求項３に記載のドラム洗濯機。
【請求項８】
前記側面フレームの前部は、フレームによって形成される内側空間側に屈曲されて前記側面フレームの前面を形成した後、再び後方に屈曲されて断面Ｃ字状を有することを特徴とする請求項１に記載のドラム洗濯機。
【請求項９】
前記各トップブラケットは、前記各側面フレームの正確な位置に結合されるようにガイドする案内突起を含んでおり、前記トップブラケットは、前記案内突起によってガイドされた後、スクリュー及びコーキングによって前記側面フレームに固定されることを特徴とする請求項２に記載のドラム洗濯機。
【請求項１０】
前記各トップブラケットには、洗濯機の振動を緩衝するスプリングの一端を支持するためのスプリング固定穴が形成されることを特徴とする請求項２に記載のドラム洗濯機。
【請求項１１】
洗濯機の側面及び後面をそれぞれ形成する側面フレーム及び後面フレームを含む第１フレームと、
前記側面フレームの前面に結合される第２フレームと、
前記側面フレームの下部及び前記第２フレームの下部に結合される第３フレームと、
前記第１フレームの上部の剛性を補強するために、前記第１フレームの両側の側面フレームの上面及び前面の一部にそれぞれ結合される一対の第４フレームと、を含むフレーム構造を有することを特徴とするドラム洗濯機。
【請求項１２】
前記フレーム構造は、前記側面フレームの上部の剛性を補強するために、前記第４フレームの上部に結合されるか、前記第４フレームを貫通して前記側面フレームに結合される第５フレームをさらに含むことを特徴とする請求項１１に記載のドラム洗濯機。
【請求項１３】
前記側面フレームの前面と上面との間には、傾斜面が形成されることを特徴とする請求項１１に記載のドラム洗濯機。
【請求項１４】
前記第３フレームは、前記側面フレームの下面に結合される水平部と、前記水平部の一端から上側に屈曲されて前記側面フレームの前面に結合される垂直部と、を含んでおり、前記水平部及び垂直部は、一体に形成されることを特徴とする請求項１１に記載のドラム洗濯機。
【請求項１５】
前記第２フレームは、前記第１フレームの前部から側方向に加えられる力に対して剛性を効果的に維持するように、前記第３フレームの上部から前記第４フレームに隣接した部分にかけて前記側面フレームの前面に結合されることを特徴とする請求項１１に記載のドラム洗濯機。
【請求項１６】
前記側面フレームの前部は、前記第１フレームによって形成される内側空間側に屈曲されて前記側面フレームの前面を形成した後、再び後方に屈曲されて断面Ｃ字状を有することを特徴とする請求項１１に記載のドラム洗濯機。
【請求項１７】
前記フレーム構造は、前記側面フレームの上部の剛性を補強するために前記側面フレームの上面に結合される第５フレームをさらに含むことを特徴とする請求項１１に記載のドラム洗濯機。
【請求項１８】
前記第１フレームの側面フレーム及び後面フレームは、一体に形成されることを特徴とする請求項１１に記載のドラム洗濯機。
【請求項１９】
前記前面フレームは、０．６mm〜１．２mmの厚さを有する鋼板からなり、スクリューによって前記側面フレームに結合されることを特徴とする請求項３に記載のドラム洗濯機。
【請求項２０】
前記底板は、１．４mm〜２．０mmの厚さを有する電気めっき亜鉛鋼板からなることを特徴とする請求項４に記載のドラム洗濯機。
【発明の詳細な説明】
【技術分野】
【０００１】
本発明は、ドラム洗濯機に関するもので、詳しくは、フレームの剛性特性を改善してデザインを多様に変化できるドラム洗濯機のフレーム構造に関するものである。
【背景技術】
【０００２】
ドラム洗濯機は、ドラム状の洗濯槽をモーターによって回転することで、洗濯物及び洗濯水を持ち上げてから落下したり、洗濯物と洗濯水との間に摩擦を発生して洗濯を行うものである。一般に、ドラム洗濯機は、製品の全体的な外観をなすとともに、ドラム状の洗濯槽などの内部部品を支持するためのフレームを含んでいる。
【０００３】
最近、ドラム洗濯機が大型化され、かつ、その内部に設置された洗濯槽の回転速度が増加するにつれて、内部部品の重さ及びモーターによって発生して伝達される力が大きくなりつつある。したがって、外部から加えられる静的な荷重に対するフレームの剛性のみならず、内部の回転体から発生する動的な振動荷重に対するフレームの剛性を維持・補強する技術の研究及び開発が要求されており、本発明は、このような要求に応じたものである。
【０００４】
従来のドラム洗濯機のフレーム構造は、特許文献１に開示されている。
【０００５】
図１に示すように、従来のドラム洗濯機のフレーム構造は、後面フレーム２及び二つの側面フレーム３からなるメーンフレーム１と、このメーンフレーム１の前面に位置し、二つの側面フレーム３の上端及び下端にそれぞれ結合される第１フロントフレーム４及び第２フロントフレーム５と、内部部品の回転によって発生する振動を緩衝するスプリングを支持するために、二つの側面フレーム３の上面にそれぞれ結合されるスプリングブラケット６と、から構成される。
【０００６】
しかしながら、従来のドラム洗濯機のフレーム構造においては、第１フロントフレーム４及び第２フロントフレーム５がメーンフレーム１の上端及び下端のみを支持するため、フレーム構造に外力が作用したり、内部の回転部品からフレーム構造に回転力が加えられる場合、歪みに対する充分な剛性を維持できなかった。さらに、力の作用面積の狭い集中荷重が第１フロントフレーム４と第２フロントフレーム５との間に加えられる場合、側面フレーム３が容易に曲がるという問題点があった。
【０００７】
また、メーンフレーム１の開口された上部及び下部にフレーム構造の剛性を補強するためのフレームが設けられてないため、洗濯機の上部及び下部の剛性が低下するという問題点があった。
【０００８】
したがって、従来のドラム洗濯機においては、剛性を維持する役割をするトップカバー７やドアパネル８などの外装材が要求されたが、この外装材は、消費者の要求に合わせて製品のデザインを多様に実現するのに多くの制限をもたらした。
【０００９】
また、従来のフレーム構造においては、スプリングブラケット６がスプリングを支持するだけで、メーンフレーム１の剛性を充分に補強しないため、メーンフレーム１の上部角の剛性を充分に補強できなかった。
【００１０】
上記のような問題点は、製品が大型化され、かつ、内部の回転体が高速に回転されるにつれて、一層深刻になるため、製品を高級化し、消費者の多様な要求を充足できるデザインを実現するために先行的に解決すべきである。
【特許文献１】大韓民国公開特許２００４−７４３１８号
【発明の開示】
【発明が解決しようとする課題】
【００１１】
本発明は、上記の問題点を解決するためになされたもので、剛性を充分に維持して多様な外部デザインを実現できるフレーム構造を有するドラム洗濯機を提供することを目的とする。
【課題を解決するための手段】
【００１２】
上記の目的を達成するために、本発明によるドラム洗濯機は、洗濯機の側面を形成する側面フレームを含むドラム洗濯機であって、前記側面フレームの上部の剛性を補強するための別途のフレームが前記側面フレームの上面及び前記側面フレームの前面の上部にそれぞれ結合されるように、前記側面フレームの前面と上面との間に傾斜面が形成されることを特徴とする。
【００１３】
また、前記側面フレームの上部の剛性を補強するために、前記側面フレームの上面、前記傾斜面及び前記側面フレームの前面の上部にそれぞれ結合されるトップブラケットをさらに含むことを特徴とする。
【００１４】
また、前記ドラム洗濯機は、前記側面フレームの前面に結合されて前面の構造の剛性を補強する前面フレームと、前記側面フレームの下部に結合されて下部の構造の剛性を補強する底板と、をさらに含むことを特徴とする。
【００１５】
また、前記底板は、前記側面フレームの下面に結合される水平部と、前記水平部の一端から上側に屈曲されて前記側面フレームの前面に結合される垂直部と、を含んでおり、前記水平部及び垂直部は、一体に形成されることを特徴とする。
【００１６】
また、前記側面フレームの上部の剛性を補強するために、前記側面フレームの上部に上部板が結合されることを特徴とする。このとき、前記上部板は、トップブラケットの上部に結合されるか、前記トップブラケットを貫通して前記側面フレームに結合される。
【００１７】
また、前記前面フレームは、前記側面フレームの前部から側方向に加えられる力に対して剛性を効果的に維持するように、前記垂直部の上部から前記トップブラケットに隣接した部分にかけて前記側面フレームの前面に結合されることを特徴とし、好ましくは、略正三角形の板状であることを特徴とする。
【００１８】
また、前記側面フレームの前部は、フレームによって形成される内側空間側に屈曲されて前記側面フレームの前面を形成した後、再び後方に屈曲されて断面Ｃ字状を有することで、垂直方向に加えられる荷重に対する剛性を維持することを特徴とする。
【００１９】
また、前記各トップブラケットは、前記各側面フレームの正確な位置に結合されるようにガイドする案内突起を含んでおり、前記案内突起によってガイドされた後、スクリュー及びコーキングによって前記側面フレームに固定されることを特徴とする。
【００２０】
一方、本発明によるドラム洗濯機は、洗濯機の側面及び後面をそれぞれ形成する側面フレーム及び後面フレームを含む第１フレームと、前記側面フレームの前面に結合される第２フレームと、前記側面フレームの下部及び前記第２フレームの下部に結合される第３フレームと、前記第１フレームの上部の剛性を補強するために、前記第１フレームの両側の側面フレームの上面及び前面の一部にそれぞれ結合される一対の第４フレームと、を含むフレーム構造を有することを特徴とする。
【００２１】
また、前記フレーム構造は、前記側面フレームの上部の剛性を補強するために、前記第４フレームの上部に結合されるか、前記第４フレームを貫通して前記側面フレームに結合される第５フレームをさらに含むことを特徴とする。
【００２２】
また、前記側面フレームの前面と上面との間には、傾斜面が形成されることを特徴とする。
【発明の効果】
【００２３】
本発明は、側面フレームの上部角の剛性を補強するトップブラケットが側面フレームの広い領域に結合されるように、側面フレームの上面と前面との間に傾斜面が形成され、側面フレームの下面及び前面の剛性を強化するための下部板及び前面フレームが設けられることで、フレーム構造の全体的な剛性を強化できるという効果がある。
【００２４】
したがって、洗濯機の大型化及び高速化によって増加する荷重を効果的に支持できるという効果があり、外装材を用いることなく、フレーム構造が全ての荷重に耐えうるので、何らの制約なしに多様なデザインを実現することで、消費者の要求を充足できるという効果がある。
【発明を実施するための最良の形態】
【００２５】
以下、本発明の好ましい実施の形態を図面に基づいて説明する。図２は、本発明によるドラム洗濯機を示した斜視図で、図３は、本発明によるドラム洗濯機を示した側断面図である。
【００２６】
図２及び図３に示すように、本発明によるドラム洗濯機は、外観をなすハウジング１０と、このハウジング１０の内部に設置されて洗濯水を収容する水槽１１と、この水槽１１内に回転自在に設置されて洗濯物の洗濯を行う洗濯槽１２と、ハウジング１０の前面に設置され、ハウジング１０の開放された前面を開閉するドア１３と、を備えている。
【００２７】
ハウジング１０の内側上部には、洗濯水及び洗剤を水槽１１に供給する給水管１４及び洗剤供給装置１５が設置され、ハウジング１０の下部には、水槽１１内の洗濯水をハウジング１０の外部に排出する排水ポンプ１６及び排水管１７が設置される。
【００２８】
水槽１１の外側には、洗濯槽１２を正方向及び逆方向に回転するための駆動モーター２０が設置され、洗濯槽１２と駆動モーター２０との間には、駆動モーター２０の回転力を洗濯槽１２に伝達するための回転軸２１が設置される。水槽１１の後面には、回転軸２１を回転可能に支持するためのベアリングハウジング２２が設置され、ベアリングハウジング２２と回転軸２１の外面との間には、ベアリング２３が設置される。また、水槽１１の上部には、水槽１１の振動を緩衝するためのスプリング２４が固定設置される。
【００２９】
一方、上記のような内部部品を保護するとともに、洗濯機の全体的な外観をなすハウジング１０は、次のようなフレーム構造を有する。
【００３０】
図４及び図５は、本発明によるドラム洗濯機のフレーム構造を示した分解斜視図及び結合斜視図である。図４及び図５に示すように、ドラム洗濯機のフレーム構造は、その側面及び後面をそれぞれ形成する側面フレーム３１及び後面フレーム３２と、側面フレーム３１の前面に結合される前面フレーム４０と、側面フレーム３１の下面に結合される底板５０と、前記側面フレーム３１の上部角の剛性を補強するために、前記側面フレーム３１の上面及び前面の上部に結合されるトップブラケット６０と、を含んでいる。
【００３１】
一般に、側面フレーム３１及び後面フレーム３２は、一つの鋼板にプレス加工及びベンディング加工を行うことによって一体に製作される。側面フレーム３１及び後面フレーム３２の各辺は、前記前面フレーム４０、底板５０及びトップブラケット６０が容易に結合されるように、フレーム３１，３２によって形成される内部空間側に屈曲されて所定の幅を有する屈曲面を形成する。例えば、両側の側面フレーム３１の垂直な前辺は、内側に屈曲されて側面フレーム３１の前面３３を形成し、側面フレーム３１及び後面フレーム３２の水平な上辺は、内側に屈曲されて側面フレーム３１の上面３４及び後面フレーム３２の上面３５を形成する。このとき、側面フレーム３１の前面３３は、再び後方に屈曲されて断面Ｃ字状を有することで、垂直方向に加えられる荷重に対する剛性を維持することが好ましい。
【００３２】
一方、側面フレーム３１には、その前面３３と上面３４とを連結する傾斜面３６が形成されるが、この傾斜面３６に設置されるパネル上に制御部を装着することで、使用者が楽な姿勢で洗濯機を制御でき、かつ、トップブラケット６０を側面フレーム３１の上部角の一層広い領域に結合することで、トップブラケット６０が構造の剛性を十分に補強できるようになる。
【００３３】
底板５０は、側面フレーム３１の下面に結合される水平部５１と、この水平部５１の一端から上側に屈曲されて側面フレーム３１の前面３３に結合される垂直部５２と、を備えている。前記水平部５１及び垂直部５２は、構造の部品数を減少して製造原価を節減し、組立性を向上し、さらに、構造の下部の剛性を補強するために一体に形成することが好ましい。また底板５０は、１．４mm〜２．０mmの厚さを有する電気めっき亜鉛鋼板からなり、リベット及びコーキングによって側面フレーム３１に結合される。
【００３４】
両側のトップブラケット６０は、後面フレーム３２の上面３５の一部、側面フレーム３１の上面３４、傾斜面３６及び側面フレーム３１の前面３３の一部に結合される。このように、トップブラケット６０は、多様な方向で加えられる荷重が集中する側面フレーム３１の上部角の広い領域を補強することで、製品の全体的な構造の剛性を強化する。特に、トップブラケット６０は、側面フレーム３１の上面３４と前面３３との境界位置で９０度に屈曲されて結合されるのではなく、側面フレーム３１の上面３４、傾斜面３６及び側面フレーム３１の前面３３に沿って結合される。よって、トップブラケット６０は、広い支持領域を有して荷重を分散する。
【００３５】
各トップブラケット６０は、正確かつ容易に各側面フレーム３１に組み立てられるようにする案内突起６３を備えるが、この案内突起６３は、側面フレーム３１の対応位置に形成された案内溝６２に挿入されることで、トップブラケット６０の結合位置をガイドする。このように、案内突起６３によってトップブラケット６０の結合位置が設定されると、トップブラケット６０は、スクリューによって仮に組み立てられた後、コーキングによって側面フレーム３１に結合される。
【００３６】
一方、トップブラケット６０には、水槽１１の振動を緩衝するスプリング２４の一端を支持するためのスプリング固定穴６１が形成されるが、このスプリング固定穴６１は、フレーム構造の剛性を補強するとともに、前記スプリング２４を固定する役割をする。
【００３７】
前面フレーム４０は、側面フレーム３１の前部から側方向に加えられる力に対する剛性を維持するように、底板５０の垂直部５２上の側面フレーム３１の前面３３に結合される。このとき、前面フレーム４０は、ボルトなどの締結手段によって底板５０の垂直部５２に結合される。前面フレーム４０は、従来のように、洗濯槽１２に洗濯物を投入するための開口部の位置を考慮し、側面フレーム３１の前面３３の一部のみに結合されるのではなく、側面フレーム３１の前面３３のほとんどの領域に結合されるように略正四角形の板状を有する。このとき、前面フレーム４０には、洗濯物をフレーム構造に投入するための開口部４１が形成される。このように、前面フレーム４０が側面フレーム３１の前面３３の広い領域に結合されると、側面フレームの上下部に二つのフレームを結合する場合より、側方向に加えられる荷重及び歪み荷重に対する構造の剛性を強化できるようになる。前面フレーム４０は、０．６mm〜１．２mmの厚さを有する鋼板にプレス加工を行って製作されることが好ましく、スクリューによって側面フレーム３１に結合される。
【００３８】
一方、トップブラケット６０の上面には、上部板７０が結合される。この上部板７０は、両側の側面フレーム３１の上面にそれぞれ結合され、側面フレーム３１の上部から側方向に加えられる力に対する構造の剛性を補強するとともに、上部板７０を覆うトップカバー７１(図２を参照)を支持する役割をする。上部板７０は、スクリューなどの締結手段によって前記トップブラケット６０に結合されるか、トップブラケット６０を貫通して側面フレーム３１に直接結合される。
【図面の簡単な説明】
【００３９】
【図１】従来のドラム洗濯機のフレーム構造を示した分解斜視図である。
【図２】本発明によるドラム洗濯機を示した斜視図である。
【図３】本発明によるドラム洗濯機を示した側断面図である。
【図４】本発明によるドラム洗濯機のフレーム構造を示した分解斜視図である。
【図５】本発明によるドラム洗濯機のフレーム構造を示した結合斜視図である。
【符号の説明】
【００４０】
１０  ハウジング
１２  洗濯槽
１３  ドア
７１  トップカバー
【図１】
2006289050.tif 000003
【図２】
2006289050.tif 000004
【図３】
2006289050.tif 000005
【図４】
2006289050.tif 000006
【図５】
2006289050.tif 000007